(57)【要約】【課題】雨水等は、軒樋内へ流し、落ち葉等、特に雪を軒樋内へ侵入させず、かつ強度的にも優れた軒樋カバー及び脱着容易な該軒樋カバーの接続構造を提供する。【解決手段】一定間隔のスリット３を介して竪板状部２を軒樋長手方向に並列させてカバー上面部を形成し、所定長さに連設した軒樋カバー１とする。また、該軒樋カバー１の下部にカバー長手方向にスライド可能な係止部４を形成し、該係止部４をスライド可能に係合する係合部材６を軒樋吊具７の上側に設け、軒樋８の開口部８ｃに軒樋カバー１を配置し、上記係止部４を係合部材６にスライド連結させた軒樋カバー１の接続構造とする。【選択図】  図２
2004225466.tif 000002
【特許請求の範囲】
【請求項１】
一定間隔のスリットを介して竪板状部を軒樋長手方向に並列させてカバー上面部を形成するとともに、所定長さに連設してなる構成を有する軒樋カバー。
【請求項２】
竪板状部の上端を屋外側に下り傾斜させた構成を有する請求項１に記載の軒樋カバー。
【請求項３】
下部にカバー長手方向にスライド可能な係止部を形成した構成を有する請求項１又は２に記載の軒樋カバー。
【請求項４】
請求項３に記載の軒樋カバーの係止部をスライド可能に係合する係合部を軒樋吊具の上側に設け、軒樋の開口部に軒樋カバーを配置し、上記係止部を係合部にスライド連結させてなる構成を有する軒樋カバーの接続構造。
【発明の詳細な説明】
【０００１】
【発明の属する技術分野】
本発明は、軒樋内に落ち葉等、特に雪が侵入するのを防止する軒樋カバー及び該軒樋カバーの接続構造に関する。
【０００２】
軒樋カバーの開口部に網材を設けて落ち葉や雪等の侵入を防止するもの（例えば、特許文献１、２参照）や、板材表面に透水孔を穿設して落ち葉や雪等の侵入を防止するもの（例えば、特許文献３参照）がある。
【０００３】
【特許文献１】
特開２００２−２１２６７号公報
【特許文献２】
特開２０００−９６７８７号公報
【特許文献３】
特開平９−１７０３１１号公報
【０００４】
【発明が解決しようとする課題】
網材の軒樋カバーの場合は、軒樋内に雪等が侵入し軒樋内の水の流れが止められてしまうことがあり、また上記軒樋カバーは、１枚の板材或いは網材でできているので雪の塊など重いものが屋根より滑り落ちてきた場合は変形してしまうことがあった。
【０００５】
本発明は、上記課題に鑑み、屋根より流れ落ちてきた雨水等は軒樋内へ流し、落ち葉等、特に雪を軒樋内へ侵入させず、また雪の塊など重いものにも変形しにくい軒樋カバー及び脱着容易な該軒樋カバーの接続構造を提供する。
【０００６】
【課題を解決するための手段】
本発明は、一定間隔のスリットを介して竪板状部を軒樋長手方向に並列させてカバー上面部を形成するとともに、所定長さに連設して軒樋カバーを構成したことを特徴とする。竪板状部の上端は屋外側に向けて下り傾斜させた構成とするのが好ましく、軒樋カバーの下部にはカバー長手方向にスライド可能な係止部を形成するのが好ましい。
本発明はまた、係止部をスライド可能に係合する係合部を軒樋吊具の上側に設け、軒樋の開口部に軒樋カバーを配置し、上記係止部を係合部にスライド連結させてなる構成を有して軒樋カバーの接続構造としたことも特徴とする。
【０００７】
この軒樋カバーは、スリットを介して竪板状部を並列させてあるので、落ち葉や雪などが軒樋内に侵入し難くなり、竪板状部を屋外側下方に傾斜させれば、落ち葉や雪など、特に雪は、この傾斜部を通り、屋外側へと滑り落ちやすくなる。また、竪板状部間にスリットが並列してあるので、雨水等は、スリットを通って軒樋内に流れ込みやすくなる。さらに、雪の塊など重量のあるものに対する耐荷重、耐衝撃強度が向上する。
【０００８】
軒樋カバーの下部に係止部を設けることにより、軒樋吊具に設けた係合部を介して、軒樋の開口部に容易に取り付けることができる。
【０００９】
【発明の実施の形態】
以下、本発明の一実施例を図面によって説明する。
図１（ａ）は本発明の軒樋カバーの一実施例の斜視図、（ｂ）はその側面図、（ｃ）はその一部を切欠した部分拡大図、図２は図１の軒樋カバーの接続構造を示した概略斜視図、図３は図１の軒樋カバーを軒樋に取り付けた状態を示した概略側断面図である。
【００１０】
軒樋カバー１は、被覆部となる竪板状部２、スリット（間隙）３、係止部４を主な構成として備えている。
【００１１】
竪板状部２は、略矩形状竪板材の上端を屋外側に向けて下り傾斜させて傾斜部５を形成し、設置状態において傾斜部５の屋内側上端５ａは、屋根１０の先端と略同一高さとなるように設定し、傾斜部５の傾斜角は、屋根１０の傾斜角と近似した角度としてある。これにより、屋根より滑り落ちてきた雪等が竪板状部２上を滑り抜けて落ちやすくなる。
本実施例では、竪板状部２を略矩形状としているが、これに限らず、略長円状，その他の形状としてもよい。また、上端を傾斜部とせず、平面としてもよい。
【００１２】
竪板状部２は落ち葉などが入り込み難い適度な間隙のスリット３を介して対面状態に多数並列させて所要長さに形成してある。
係止部４は、断面略蟻形状の如き下向き膨頭形状で、軒樋の長手方向に沿う長尺柱状をしており、長尺方向にスライド可能で交叉方向に係止する形状となっている。上記竪板状部２は、係止部４の上側から上方に突出するように長手方向に並列して一体形成してあり、好ましくは竪板状部２の下側中央部付近に係止部４が位置するように形成してある。
【００１３】
上記構成を有した軒樋カバー１は、合成樹脂製とする場合は射出成形で形成することができ、アルミニウムなど金属製とする場合はモールド成形して形成するのが好ましい。
なお、軒樋カバー１は上記実施例とは異なり、竪板状部２と係止部４とを別成形し、両部材を連結した構成のものとすることもできる。
【００１４】
係合部材６は、上記軒樋カバー１を軒樋吊具７に固定するための固定部材であり、上側を上記係止部４の膨頭形状部分に係合可能な断面Ｃ字状のスライド係合部６ａとして形成し、下側を軒樋吊具７に上側から跨るように嵌合して固定できる突起部を設けた嵌合部６ｂとして形成してある。上記スライド係合部６ａは、係合部材６を軒樋吊具７に固定した状態において軒樋カバー１をカバー長手方向にスライド可能に係合可能であればよい。
【００１５】
軒樋吊具７は、家屋の壁面等に固定する平板状の固定部７ａから屋外側に伸びた杆部７ｂを形成し、杆部７ｂの屋内側及び屋外側には、軒樋８の両耳部８ａ、８ｂを係合できる係合部７ｃ、７ｄを形成している。また、杆部７ｂの中央付近は上記係合部材６が嵌合できるように、中央付近の両側面を窪ませてあるのが好ましく、係合部材６の嵌合部６ｂを嵌合できるようにしてある。
上記実施例では、係合部材６を軒樋吊具７に嵌合させているが、これに限定されず、ビスを使用して固定したり、接着剤により固着したりしてもよく、また係合部材６は軒樋吊具７の一部としてこれと一体に形成しても構わない。
【００１６】
軒樋８は、上方開口形状をしており、両側面上端の耳部８ａ、８ｂを軒樋吊具７の係合部７ｃ、７ｄに係合できるように形成し、軒樋吊具７が軒樋８の開口部８ｃに跨って位置するようにしてある。
軒樋吊具７及び軒樋８は、上記のように軒樋吊具７が軒樋８の開口部８ｃに位置する構成としてあればよく、形状は本実施例に限定するものではない。
【００１７】
以下、軒樋カバー１の接続構造を説明する。
図２に示すように、複数の軒樋吊具７を所定間隔を置いて配置し、その固定部７ａを家屋の壁面等に釘等により固着しておいて、軒樋８の両耳部８ａ、８ｂを軒樋吊具７の係合部７ｃ、７ｄに係合させ、軒樋８を吊架する。その上で、軒樋吊具７の杆部７ｂの中央付近に、上方から嵌合部６ａを嵌合させて係合部材６を配置させる。係合部材６のスライド係合部６ａに順次に軒樋カバー１の係止部４をスライドさせつつ係合して、係合部材６に軒樋カバー１を取り付ける。隣接の軒樋カバー同士は両接続面１ａ同士を当接させればよい。このように、必要な軒樋カバー１を全て接続させることにより軒樋８の開口部８ｃを被覆することができる。
【００１８】
上記接続構造は、上記に限らず、軒樋カバー１の係止部４に係合部材６を予め係合させて取り付けておき、この軒樋カバー１を軒樋８の開口部８ｃに配置させつつ、係合部材６を軒樋吊具７に位置合わせしながら、順次その中央部付近に嵌合させるようにする取付方法のよって施工することもできる。
なお、隣接軒樋カバー１の接続面１ａ同士は接着その他の方法で固着することもできる。
【００１９】
軒樋８の開口部８ａに取り付けた軒樋カバー１は、図３に示すように、好ましくは、傾斜部５の屋内側上端５ａと屋根１０の先端との高さを略同一とし、また傾斜部５の傾斜角を屋根１０の傾斜角と近似した角度としておけば、屋根上の雪Ａは、屋根１０から軒樋カバー１上を滑り抜け、軒樋８内へ侵入し或いは積雪することなく、屋外側に滑り落ちていく。
また、複数枚の竪板部材２を配列してあるため、強度的に優れ、雪などの重みのあるものにより変形することはない。
雨水等が屋根１０から流れてきた場合は、竪板部材２を適宜間隔で配列してあるため、このスリットに雨水等が流れ込み軒樋８内に滴り落ちることとなる。
上記軒樋カバー１は、家屋の改装等により取り外す場合でも、上記取付方法と逆の手順で実施すればよく、脱着容易な接続構造となっている。
【００２０】
図４に他の実施例の軒樋カバー２０を示す。
竪板状部２１は、上方を略矩形状竪板材の上端を屋外側に下り傾斜させて傾斜部２２とし、両側方に挿通孔２１ａ、２１ｂを穿設し、下方を断面略蟻形状の如き膨頭形状の係止部２３として形成した一枚板としてある。所要枚数の竪板状部２１は、等ピッチのスリット（間隔）を保つように円筒状の介装部材２４を介して対面状態で並列させ、金属材等の棒状部材２５を各挿通孔２１ａ、２１ｂ及び介装部材２４に挿通し、棒状部材２５をナット等により締結することにより、軒樋カバー２０とすることができる。
軒樋カバー２０は、上記軒樋カバー１と同様の取付方法で軒樋８の開口部８ａに取り付ければよい。
【００２１】
【発明の効果】
本発明の軒樋カバーは、一定間隔のスリットを介して竪板状部を軒樋長手方向に並列させてカバー上面部を形成するとともに、所定長さに連設してなる構成とすることにより、軒樋内に落ち葉等、特に雪が侵入しにくくなり、かつ強度的にも優れ、また軒樋カバーの下部に係止部、軒樋吊具の上側に係合部を設け、係止部を係合部にスライド連結させる軒樋カバーの接続構造とすることにより、脱着容易な軒樋カバーとすることができる。
【図面の簡単な説明】
【図１】（ａ）は、本発明の軒樋カバーを示す一実施例の斜視図、（ｂ）はその側面図、（ｃ）は一部を切欠して示した部分拡大図である。
【図２】図１の軒樋カバーの接続構造を示した概略斜視図である。
【図３】図１の軒樋カバーを軒樋に取り付けた状態を示した概略側断面図である。
【図４】本発明の軒樋カバーの別の一実施例を示す分解斜視図である。
【符号の説明】
１、２０  軒樋カバー
１ａ  接続面
２  竪板状部
３  スリット
４、２３  係止部
５、２２  傾斜部
５ａ  屋外側端部
６  係合部材
６ａ  スライド係合部
６ｂ  嵌合部
７  軒樋吊具
８  軒樋
８ａ  開口部
１０  屋根
２１ａ、２１ｂ  挿通孔
２４  介装部材
２５  棒状部材
【図１】
2004225466.tif 000003
【図２】
2004225466.tif 000004
【図３】
2004225466.tif 000005
【図４】
2004225466.tif 000006